(57)【要約】【課題】衣類折り畳み補助板の提供。【解決手段】衣類折り畳み補助板の構造は、六片の板体から構成され、板体と板体間は固定環により連接し、板体が固定環により旋転し、翻転連接板の方式により、衣類を一定の大小に折り畳むことが出来、収蔵と放置に便利である。折り畳み補助板は組み立て方式であるので、放置と包装も相対して縮小され、更に、固定環を旋転の閉結とし、補助板が断裂しやすい状況を改善し、また、固定環により板体間の距離を調整できるので、補助板は厚い衣類に対しても折り畳み処理を実行できる。【選択図】    図１
0003128571.tif 000002
【実用新案登録請求の範囲】
【請求項１】
衣類折り畳み補助板であって、主板、連接板、延長板、中央下板、及び、固定環等から構成され、
前記主板、前記連接板、前記中央下板上に円棒柱を設置し、前記固定環上に前記円棒柱を固定し、前記主板の左右側は、それぞれ、前記連接板を接続し、下方は前記中央下板を接続し、前記連接板は前記延長板上の挿入鞘が挿入孔内に挿入し、定位孔により定位鞘内に係入し、狭長形板を前記主板両側に形成し、
前記固定環の可動関節により、前記狭長板、及び、前記中央下板は前記固定環により翻折し、衣類を折り畳み、前記板体間の距離を調整することを特徴とする衣類折り畳み補助板。
【請求項２】
前記固定環上の係合位置は、衣類の厚さによって、前記板体間の距離を調整することを特徴とする請求項１に記載の衣類折り畳み補助板。
【考案の詳細な説明】
【技術分野】
【０００１】
本考案は 衣類折り畳み補助板構造に関し、詳細には、本構造は板体と板体間で採用される固定環からなり、固定環を旋転閉結とし、板体は回転連接方式で衣類を畳み、公知の折り畳み補助板が容易に断裂する状況を改善し、板体間の距離の調整により、厚みのある衣類にも適用できる衣類折り畳み補助板に関する。
【背景技術】
【０００２】
時代の変化と社会の発展に伴い、人々の生活水準も向上し、日常生活方面においても相応する変化がみられる。人々の着衣も大きな変化があり、TPOに合わせた着用により、衣類量が増加し、収納に困るようになっている。一般の衣類の収納はハンガーを使用し、衣類収納棚内に吊るすか、折り畳んで引き出しに収納する。この二種の方式はそれぞれ欠点があり、吊るす方式は取り出しに便利で、衣類を圧損することはないが、占有空間が大きく、大量の衣類を収納することができない。畳む方式は、空間の占有が少ないが、畳むのに時間がかかり、衣類の大小の掌握も時間を費やす。
【０００３】
衣類の折り畳みの欠点に対し、中華民国（台湾）特許公告第M２５１８５６号で、折り畳み補助板が開示され、折り畳み補助板構造は、一体射出成形の方式により、中央上板、中央下板、左右挟長延伸板等の四つの部分からなり、中央上板とその他の三つの板間は湾折帯を設置し、衣類の背面を上に向け、平坦に折り畳み補助板上を被覆し、それぞれ、左右側挟長延伸板と中央下板は、順に、中央上板に向かって湾折し、衣類を快速に中央上板の大小に畳み、快速な折り畳み、収納の目的を達成する。しかし、この方式は、湾折帯の設計不良で、更に、左右側挟長延伸板の面積が大きく、操作時に不便であり、また、両側が容易に断裂し、これらの問題に対し改善を加える必要がある。
【０００４】
例えば、中華民国（台湾）特許公告M２６８３６７号は、それぞれ、折り畳み補助板が断裂しやすい部分に改良を加え、湾折帯中間に前向けに突出した反円弧板を設置し、広い湾折帯を構成し、且つ、反円弧板は序所に細薄になる連接面で、主要な湾折受力点となる。これにより、湾折強靭度、及び、使用寿命が増加するが、この種の方式は、折り畳み補助板の使用寿命を延長するが、板自身は一体成形を使用するので、板間に厚い衣類の処理に必要なギャップがなく、狭長折り畳み補助板は収蔵と包装上に問題がある。
【０００５】
よって、現有の折り畳み補助板は、使用者のニーズを満たしていない。
【考案の開示】
【考案が解決しようとする課題】
【０００６】
本考案は、衣類折り畳み補助板を提供し、簡単な板帯の連接組み合わせ方式により、衣類を折り畳む功能を有する折り畳み板で、収納と包装に便利な以外に、固定環により連結することにより、公知の補助板が断裂する問題を解決し、厚い衣類にも適用できるようにすることを目的とする。
【課題を解決するための手段】
【０００７】
本考案の衣類折り畳み補助板は、主に、六片の板体から構成され、主板が固定環を利用して連接し、固定環は衣類上で可動関節になり、連接する板体が固定環により移動し、衣類を折り畳む目的を達成する。固定環が板体と主板間の距離を調整できるので、補助板は厚い衣類に対しても折り畳み処理を実行でき、折り畳みと収置作業が便利になる。
【考案の効果】
【０００８】
本考案により、収納と包装に便利な以外に、固定環により、公知の補助板が断裂する問題を解決し、厚い衣類にも適用できる。
【考案を実施するための最良の形態】
【０００９】
図１〜図９は、本考案の衣類折り畳み補助板の改良構造で、主要構造は、主板１０、連接板２０、延長板３０、中央下板４０、及び、固定環５０等から構成される。
【００１０】
主板１０、連接板２０、中央下板４０上に、それぞれ、円棒柱６０を設置し、固定リング５０により主板、連接板、及び、中央下板等の円棒柱を固定し、主板の左右側、及び、下方は板体と連接し、左右側はそれぞれ、連接板と連接し、下方は中央下板と接続し、連接板は挿入孔２１、及び、定位鞘２２を利用し、延長板３０上の挿鞘３１から挿入孔内に挿入し、定位孔３２を定位鞘内に係入して、連接板と延長板を連結し、狭長形板を形成する。固定環の可動関節により、連接板、及び、中央下板は固定環で翻折し、板体を転折して、衣類を畳む。
【００１１】
衣類を畳む時、衣類背面を上にして折り畳み補助板上に平坦に被覆し、それぞれ、左右側連接板２０と延長板３０によりなる狭長形板を主板に向かって湾折し、衣類を順に折り畳み、最後に、中央下板４０を湾折して、衣類折り畳み動作を完成し、衣類は快速に主板１０の大小尺寸に折り畳まれ、収納に便利である。補助板は固定環５０上の係合位置を利用し、衣類の厚さによって、主板と各板体間の距離を調整し、厚い衣類に対しても折り畳み画実行できる。折り畳み補助板は組み合わせ製作方式を採用するので、分解収蔵が可能で、占有空間が小さく、同時に、包装も容易である。
【００１２】
上述のように、衣類折り畳み補助板構造は、簡単な板体の連接組み合わせ方式により、衣類を折り畳む功能を有し、補助板は収蔵と包装に便利な特性を有し、更に、固定環連結功能により、公知の折り畳み補助板が断裂しやすい問題を改善すると共に、補助板は厚い衣類に対しても折り畳み画実行できる。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の構造の立体システム図である。
【図２】本考案の構造の立体図である。
【図３】本考案の構造の局部断面図である。
【図４】本考案の構造の実施図である。
【図５】本考案の構造の実施図である。
【図６】本考案の構造の実施図である。
【図７】本考案の構造の実施図である。
【図８】本考案の構造の実施図である。
【図９】本考案の構造の実施図である。
【符号の説明】
【００１５】
１０  主板
２０  連接板
２１  挿入孔
２２  定位鞘
３０  延長板
３１  挿入鞘
３２  定位孔
４０  中央下板
５０  固定環
６０  円棒柱        
【図１】
0003128571.tif 000003
【図２】
0003128571.tif 000004
【図３】
0003128571.tif 000005
【図４】
0003128571.tif 000006
【図５】
0003128571.tif 000007
【図６】
0003128571.tif 000008
【図７】
0003128571.tif 000009
【図８】
0003128571.tif 000010
【図９】
0003128571.tif 000011